(57)【特許請求の範囲】
【請求項１】
密閉容器内に、圧縮機構部とこれを駆動する電動機と圧縮機構部に潤滑油を供給する手段を設け、これらにより構成される圧縮機で、インボリュート曲線、あるいはこれに類似した曲線により渦巻き状のハネを形成し、このハネを２つ用いて、一方を固定（以降これを固定スクロールと呼ぶ）させ、他方を回転駆動要素である上記電動機のクランク軸により、自転防止機構を用いて旋回運動させる（以降これを旋回スクロールと呼ぶ）ことによって、圧縮機構を構成するスクロール圧縮機において、前記旋回スクロールの軸が嵌合する前記クランク軸端部に、半径方向に旋回半径を縮小するように可動することを目的とした偏心軸受とこれを押さえる弾性体を収納し、この収納端部と偏心軸受端部にクランク軸の軸方向に相対する位置に凸部を設け、両凸部間にクランク軸方向にも荷重を掛ける弾性体を用いた旋回スクロール軸支持機構を持つスクロール圧縮機。
【請求項２】
弾性体として板バネを用い、この板バネが前記収納端凸部寄りに切り欠きを設け、クランク軸方向のバネ性を持たせたことを特徴とする、請求項１記載のスクロール圧縮機。
【請求項３】
弾性体として板バネを用い、この板バネが前記偏心軸受端凸部寄りに切り欠きを設け、クランク軸方向のバネ性を持たせたことを特徴とする、請求項１記載のスクロール圧縮機。
【請求項４】
密閉容器内に、圧縮機構部とこれを駆動する電動機と圧縮機構部に潤滑油を供給する手段を設け、これらにより構成される圧縮機で、インボリュート曲線、あるいはこれに類似した曲線により渦巻き状のハネを形成し、このハネを２つ用いて、一方を固定スクロールとして用い、他方を回転駆動要素である上記電動機のクランク軸により、自転防止機構を用いて旋回スクロールとして用いることによって、圧縮機構を構成するスクロール圧縮機において、旋回スクロールの軸が嵌合する前記クランク軸端部に、半径方向に旋回半径を縮小するように可動することを目的とした偏心軸受とこれを押さえる第１の弾性体を収納し、この収納端部と偏心軸受端部にクランク軸の軸方向に相対する位置に凸部を設け、第１の弾性体はこの両凸部間に設置し、偏心軸受と格納部のクランク軸方向の接触面間に、シール性を持つ第２の弾性体を設置して前記偏芯軸受とクランク軸が離反する方向に荷重をかける、旋回スクロール軸支持機構を持つスクロール圧縮機。
【請求項５】
クランク軸端内の上記可動機構を設けた旋回スクロール軸支持機構の格納部内で、クランク軸に対して半径方向に旋回半径を縮小するように移動することを目的として働く第１の弾性体として、板バネを用いることを特徴とする、請求項４記載のスクロール圧縮機。
【請求項６】
密閉容器内に、圧縮機構部とこれを駆動する電動機と圧縮機構部に潤滑油を供給する手段を設け、これらにより構成される圧縮機で、インボリュート曲線、あるいはこれに類似した曲線により渦巻き状のハネを形成し、このハネを２つ用いて、一方を固定スクロールとして用い、他方を回転駆動要素である上記電動機のクランク軸により、自転防止機構を用いて旋回スクロールとして用いることによって、圧縮機構を構成するスクロール圧縮機において、旋回スクロールの軸が嵌合し附勢された力によって旋回半径を縮小する方向に移動することが可能な偏心軸受により支持され、この偏心軸受とクランク軸格納部の半径方向接触面が傾斜しており、附勢された力により偏心軸受が格納部のクランク軸方向接触面に押し付けられるように移動可能な構成を合わせ持つ、旋回スクロール軸支持機構を持つスクロール圧縮機。
【請求項７】
附勢する手段として、板バネを用いた請求項６記載のスクロール圧縮機。
【請求項８】
附勢する手段として、コイルバネを用いた請求項６記載のスクロール圧縮機。
【発明の詳細な説明】
【０００１】
【発明の属する技術分野】
本発明は業務用及び家庭用の空調機等に使用されるスクロール圧縮機に関し、特に旋回スクロールの軸支持構造に関するものである。
【０００２】
【従来の技術】
従来例として、図５に縦型スクロール圧縮機の旋回スクロール軸支持構造を示す。
【０００３】
図５に於いて、旋回スクロール１は冷凍サイクルで過渡状態の場合等に液冷媒が吸入される場合、或いはサイクル中に混入した異物等の回避を目的として、旋回スクロールの旋回半径を縮小する方向に移動可能な旋回スクロール軸１ａの支持構造として、前述のように旋回スクロール軸１ａを支持する偏心軸受２とクランク軸３を別部品で構成し、クランク軸端部にその偏心軸受２と弾性体４を格納し、前記半径方向に移動可能な旋回スクロール軸支持構造を構成している。
【０００４】
従来、特開平５−１６４０８３等に記載されている様に、この様な旋回スクロール軸支持構造を用いた場合、クランク軸端の格納部より内部に納められた偏心軸受２と弾性体４が浮き上がり、旋回スクロール１のスラスト面１ｂに異常な接触をしたり、旋回スクロール軸１ａが異常摩耗を起こす等の信頼性上の問題が起こらないように、前述のようなクランク軸格納端部と偏心軸受端部に浮き上がり防止を目的とした凸部３ａ，２ａを設け、附勢された力として働く弾性体４をこの凸部間に設置していた。
【０００５】
【発明が解決しようとする課題】
しかしながら、上記従来の構成では、クランク軸端格納部と偏心軸受、弾性体間にクランク軸方向の隙間δ１，δ２があるため、偏心軸受の浮き上がりを完全に防止することができない。
【０００６】
従って、偏心軸受とクランク軸端格納部のクランク軸方向接触面に隙間δ（＝δ１＋δ２）が生じ、偏心軸受外周とクランク軸端面に設けた収納穴内面間に潤滑油が漏れ、旋回スクロール軸と偏心軸受内面に供給される潤滑油が減少するため、焼き付き等を起こしやすい潤滑油の厳しい状態に成り易く、この偏心軸受とクランク軸端格納部のクランク軸方向接触面の隙間δを無くす方法が要求されていた。
【０００７】
本発明はこのような従来の課題を解決するものであり、信頼性上優れたスクロール圧縮機を提供することを目的とする。
【０００８】
【課題を解決するための手段】
上記課題を解決するために本発明は、クランク軸端部に組み込まれた偏心軸受と格納接触面形状や附勢手段で、偏心軸受とクランク軸端格納部のクランク軸方向接触面の隙間δをなくすものである。
【０００９】
上記の偏心軸受とクランク軸端格納部のクランク軸方向接触面の隙間をなくす構成によって、潤滑油供給手段より供給される潤滑油は、旋回スクロール軸とそれを支持する偏心軸受内面間に流れ易くなり、潤滑油の優れた構成を実現でき、信頼性の優れたスクロール圧縮機が構成できる。
【００１０】
【発明の実施の形態】
請求項１に記載の発明は、密閉容器内に、固定スクロールと自転防止機構により旋回運動をする旋回スクロールとから構成される圧縮機構部と、これをクランク軸を介して駆動させる電動機と、圧縮機構部に潤滑油を供給する手段を設け、これらにより構成されるスクロール圧縮機において、旋回スクロールの軸が嵌合するクランク軸端部に、半径方向に旋回半径を縮小するように可動することを目的とした偏心軸受とこれを押さえる弾性体を収納し、この収納端部と偏心軸受端部にクランク軸の軸方向に相対する位置に凸部を設け、両凸部間にクランク軸方向にも荷重を掛ける弾性体を用いた旋回スクロール軸支持機構を持つスクロール圧縮機である。そしてこの構成によれば旋回スクロール軸と偏心軸受間に確実に潤滑油を供給することができる。
【００１１】
請求項２に記載の発明は、弾性体として板バネを用い、この板バネが前記収納端凸部寄りに切り欠きを設け、クランク軸方向のバネ性を持たせたことを特徴とする、請求項１記載のスクロール圧縮機で、この構成によれば旋回スクロール軸と偏心軸受間に確実に潤滑油を供給することができる。
【００１２】
請求項３に記載の発明は、弾性体として板バネを用い、この板バネが前記偏心軸受端凸部寄りに切り欠きを設け、クランク軸方向のバネ性を持たせたことを特徴とする、請求項１記載のスクロール圧縮機で、この構成によれば旋回スクロール軸と偏心軸受間に確実に潤滑油を供給することができる。
【００１３】
請求項４に記載の発明は、請求項１に記載の圧縮機構を持つスクロール圧縮機において、旋回スクロールの軸が嵌合する前記クランク軸端部に、半径方向に旋回半径を縮小するように可動することを目的とした偏心軸受とこれを押さえる弾性体を収納し、この収納端部と偏心軸受端部にクランク軸の軸方向に相対する位置に凸部を設け、第１の弾性体はこの両凸部間に設置し、偏心軸受と格納部のクランク軸方向の接触面間に、シール性を持つ第２の弾性体を設置した、旋回スクロール軸支持機構を持つスクロール圧縮機で、この構成によれば旋回スクロール軸と偏心軸受間に確実に潤滑油を供給することができる。
【００１４】
請求項５に記載の発明は、第１の弾性体として、板バネを用いることを特徴とする、請求項４記載のスクロール圧縮機で、この構成によれば旋回スクロール軸と偏心軸受間に確実に潤滑油を供給することができる。
【００１５】
請求項６に記載の発明は、請求項１に記載の圧縮機構を持つスクロール圧縮機において、旋回スクロールの軸が嵌合し附勢された力によって旋回半径を縮小する方向に移動することが可能な偏心軸受により支持され、この偏心軸受とクランク軸格納部の半径方向接触面が傾斜しており、附勢された力により偏心軸受が格納部のクランク軸方向接触面に押し付けられるように移動可能な構成を合わせ持つ、旋回スクロール軸支持機構を持つスクロール圧縮機で、この構成によれば旋回スクロール軸と偏心軸受間に確実に潤滑油を供給することができる。
【００１６】
請求項７に記載の発明は、附勢する手段として、板バネを用いた請求項６記載のスクロール圧縮機で、この構成によれば旋回スクロール軸と偏心軸受間に確実に潤滑油を供給することができる。
【００１７】
請求項８に記載の発明は、附勢する手段として、コイルバネを用いた請求項６記載のスクロール圧縮機で、この構成によれば旋回スクロール軸と偏心軸受間に確実に潤滑油を供給することができる。
【００１８】
【実施例】
以下本発明の実施例について図面を参照して説明する。
【００１９】
（実施例１）
図１は本発明に於ける、偏心軸受とクランク軸端格納部のクランク軸方向接触面の隙間をなくす構成として、クランク軸格納部端の凸部に板バネの切り欠きを設けて、バネ性をもたせることにより構成された旋回スクロール軸受構成図である。図１に於いて、矢印は板バネの切り欠きより生ずるクランク軸方向力を示し、この力により偏心軸受とクランク軸端格納部のクランク軸方向接触面を密着することができ、そのことにより旋回スクロール軸と偏心軸受間の潤滑を良好なものとすることができる。
【００２０】
（実施例２）
また、図２は前記実施例に於けるクランク軸方向力の発生源として、偏心軸受側に板バネの切り欠きを設け、バネ性を持たせた旋回スクロール軸受構成図である。図２に於いて、矢印は板バネの切り欠きより生ずるクランク軸方向を示し、実施例１同様にこの力により偏心軸受とクランク軸端格納部のクランク軸方向接触面を密着することができ、そのことにより旋回スクロール軸と偏心軸受間の潤滑を良好なものとすることができる。
【００２１】
（実施例３）
図３は本発明に於ける、偏心軸受とクランク軸端格納部のクランク軸方向接触面の隙間をなくす構成として、その間にシール性を有する第２の弾性体（例えば四沸化エチレン等）を挿入し、半径方向力を発生する第１の弾性体として板バネを用いた場合の旋回スクロール軸受構成図である。図３に於いて、偏心軸受は旋回スクロール側に矢印のように押される状態となるが、クランク軸格納部内と偏心軸受の凸部に板バネが密着するため、結果として偏心軸受が飛び出すことなくクランク軸方向の接触面を密着することができる。そして、この実施例によれば旋回スクロール軸と偏心軸受間の潤滑を良好なものとすることができる。
【００２２】
（実施例４）
図４は本発明に於ける、偏心軸受とクランク軸端格納部のクランク軸方向接触面の隙間をなくす構成として、偏心軸受とクランク軸格納部の半径方向接触面を傾斜させ、その半径方向力の発生源として板バネを用いた場合の旋回スクロール軸受構成図である。ここで、図４に示すような傾斜面を半径方向にかかる反対側に設けることにより、矢印のような力が発生し、偏心軸受は格納部より飛び出すことなく、更に格納部と偏心軸受のクランク軸方向の接触面を密着させることができる。そして、この実施例によれば旋回スクロール軸と偏心軸受間の潤滑を良好なものとすることができる。
【００２３】
【発明の効果】
上記実施例から明らかなように、請求項１に記載の発明は、旋回スクロールの軸が嵌合するクランク軸端部に、半径方向に旋回半径を縮小するように可動することを目的とした偏心軸受とこれを押さえる弾性体を収納し、この収納端部と偏心軸受端部にクランク軸の軸方向に相対する位置に凸部を設け、両凸部間にクランク軸方向にも荷重を掛ける弾性体を用いた旋回スクロール軸支持機構を持つスクロール圧縮機で、この構成によれば格納部と偏心軸受のクランク軸方向の接触面を密着させることができ、旋回スクロール軸と偏心軸受間の潤滑を良好なものとすることができる。
【００２４】
請求項２に記載の発明は、請求項１に記載の発明に於いて、弾性体として板バネを用い、この板バネにクランク軸収納穴端の凸部寄りに切り欠きを設け、クランク軸方向のバネ性を持たせた旋回スクロール軸支持機構を持つスクロール圧縮機で、この構成によれば格納部と偏心軸受のクランク軸方向の接触面を密着させることができ、旋回スクロール軸と偏心軸受間の潤滑を良好なものとすることができる。
【００２５】
請求項３に記載の発明は、請求項１に記載の発明に於いて、弾性体として板バネを用い、この板バネがクランク軸収納穴端の凸部と相対する偏心軸受端凸部寄りに切り欠きを設け、クランク軸方向のバネ性を持たせた旋回スクロール軸支持機構を持つスクロール圧縮機で、この構成によれば格納部と偏心軸受のクランク軸方向の接触面を密着させることができ、旋回スクロール軸と偏心軸受間の潤滑を良好なものとすることができる。
【００２６】
請求項４に記載の発明は、請求項１に記載の圧縮機構を持つスクロール圧縮機において、旋回スクロールの軸が嵌合する前記クランク軸端部に、半径方向に旋回半径を縮小するように可動することを目的とした偏心軸受とこれを押さえる弾性体を収納し、この収納端部と偏心軸受端部にクランク軸の軸方向に相対する位置に凸部を設け、第１の弾性体はこの両凸部間に設置し、偏心軸受と格納部のクランク軸方向の接触面間に、シール性を持つ第２の弾性体を設置した、旋回スクロール軸支持機構を持つスクロール圧縮機で、この構成によれば格納部と偏心軸受のクランク軸方向の接触面を密着させることができ、旋回スクロール軸と偏心軸受間の潤滑を良好なものとすることができる。
【００２７】
請求項５に記載の発明は、請求項４に記載の発明に於いて、第１の弾性体として板バネを用い、この板バネを両凸部間に設置し、偏心軸受と格納部のクランク軸方向の接触面間に、シール性を持つ第２の弾性体を設置した、旋回スクロール軸支持機構を持つスクロール圧縮機で、この構成によれば格納部と偏心軸受のクランク軸方向の接触面を密着させることができ、旋回スクロール軸と偏心軸受間の潤滑を良好なものとすることができる。
【００２８】
請求項６に記載の発明は、請求項１に記載の圧縮機構を持つスクロール圧縮機において、旋回スクロールの軸が嵌合し附勢された力によって旋回半径を縮小する方向に移動することが可能な偏心軸受により支持され、この偏心軸受とクランク軸格納部の半径方向接触面が傾斜しており、附勢された力により偏心軸受が格納部のクランク軸方向接触面に押し付けられるように移動可能な構成を合わせ持つ、旋回スクロール軸支持機構を持つスクロール圧縮機で、この構成によれば格納部と偏心軸受のクランク軸方向の接触面を密着させることができ、旋回スクロール軸と偏心軸受間の潤滑を良好なものとすることができる。
【００２９】
請求項７に記載の発明は、請求項６に記載の発明に於いて、附勢する手段として、板バネを用いたもので、この構成によれば格納部と偏心軸受のクランク軸方向の接触面を密着させることができ、旋回スクロール軸と偏心軸受間の潤滑を良好なものとすることができる。
【００３０】
請求項８に記載の発明は、請求項６に記載の発明に於いて、附勢する手段として、コイルバネを用いたもので、この構成によれば格納部と偏心軸受のクランク軸方向の接触面を密着させることができ、旋回スクロール軸と偏心軸受間の潤滑を良好なものとすることができる。
【図面の簡単な説明】
【図１】（ａ）は本発明の一実施例を示す旋回スクロール軸受構成の要部斜視図
（ｂ）は同軸受構成の断面図
【図２】（ａ）は本発明の他の実施例を示す旋回スクロール軸受構成の要部斜視図
（ｂ）は同軸受構成の断面図
【図３】（ａ）は本発明の一実施例を示す旋回スクロール軸受構成の要部斜視図
（ｂ）は同軸受構成の断面図
【図４】（ａ）は本発明の一実施例を示す旋回スクロール軸受構成の要部斜視図
（ｂ）は同軸受構成の断面図
【図５】同従来例を示す旋回スクロール軸受構成の断面図と潤滑油の流れ図
【図６】同従来例を示す潤滑性の厳しい場合での旋回スクロール軸受構成の断面図
【図７】同従来例を示す旋回スクロール軸受構成部品の分解斜視図
【図８】同従来例を示すスクロール圧縮機の断面図
【符号の説明】
１  旋回スクロール
１ａ  旋回スクロール軸
１ｂ  旋回スクロールスラスト面
２  偏心軸受
２ａ  偏心軸受端の凸部
３  クランク軸
３ａ  クランク軸格納端の凸部
４  弾性体
５  固定スクロール
６  シェル
７  ロータ
８  ステータ
９  潤滑油
１０  潤滑油供給手段（オイルポンプ等）
１１  吐出管
１２  吸入管
１３  本実施例２に基づく板バネ
１４  本実施例３に基づく板バネ
１５  本実施例４に基づくシール性を持つ弾性体
１６  本実施例４に基づく傾斜面を持つ偏心軸受
【図１】
0003687279.tif 000002
【図２】
0003687279.tif 000003
【図３】
0003687279.tif 000004
【図４】
0003687279.tif 000005
【図５】
0003687279.tif 000006
【図６】
0003687279.tif 000007
【図７】
0003687279.tif 000008
【図８】
0003687279.tif 000009